(57)【要約】【課題】本発明は、誰に対しても直感的に理解し易く、操作性の高い電子番組ガイドを生成して表示できるようにする。【解決手段】本発明は、放送局軸及び時間軸に基づいて２次元的に構成された基本フレームを生成し、基本フレームの放送局軸及び時間軸に沿いながら、ＴＶ番組のタイトルが記載された複数の番組カードＣＤがドミノ状に立体配置されたかのように見える３次元番組表画像Ｇ１Ｂを生成し、３次元番組表画像Ｇ１Ｂをモニタ９に対して出力することにより当該３次元番組表画像Ｇ１Ｂを電子番組ガイドＧ１として表示させるようにする。【選択図】図３
2009232102.tif 000002
【特許請求の範囲】
【請求項１】
放送局軸及び時間軸に基づいて２次元的に構成された基本フレームを生成する基本フレーム生成部と、
上記基本フレームの上記放送局軸及び上記時間軸に沿って、番組のタイトルを記載した複数の番組カードがドミノ状に立体配置されたかのように見える３次元番組表画像を生成する３次元番組表画像生成部と、
上記３次元番組表画像を所定の表示部に対して出力することにより当該３次元番組表画像を電子番組ガイドとして表示させる制御部と
を具えることを特徴とする電子番組ガイド表示装置。
【請求項２】
上記電子番組ガイド表示装置は、
上記放送局軸に沿って、複数の放送局をそれぞれ示す複数のロゴマークが２次元的に配置されたロゴマーク画像を生成するロゴマーク画像生成部と
を具え、
上記制御部は、上記ロゴマーク画像に対して上記３次元番組表画像を重ねた状態で上記表示手段へ出力することにより上記電子番組ガイドとして表示させる
ことを特徴とする請求項１に記載の電子番組ガイド表示装置。
【請求項３】
上記電子番組ガイド表示装置は、
上記番組カードに対応した番組詳細情報が２次元的に配置された番組詳細情報画像を生成する番組詳細情報画像生成部と
を具え、
上記制御部は、上記３次元番組表画像に対して上記番組詳細情報画像を重ねることにより、上記番組詳細情報画像、上記３次元番組表画像及び上記ロゴマーク画像が３層重ねられた状態で上記表示部へ出力することにより上記電子番組ガイドとして表示させる  
ことを特徴とする請求項２に記載の電子番組ガイド表示装置。
【請求項４】
上記制御部は、上記複数の番組カードのうち、現在フォーカスされている選択中の選択番組カードに対して他の未選択番組カードよりも上方へ飛び出すような表示効果を与える
ことを特徴とする請求項３に記載の電子番組ガイド表示装置。
【請求項５】
上記制御部は、上記選択番組カードを上記他の未選択番組カードへ切り換えるための入力操作が行われたことを認識したとき、上記複数の番組カードを移動させると共に、次に切り換えられた上記選択番組カードに対して上記表示効果を与えるような動きを伴うアニメーション表示を行う
ことを特徴とする請求項４に記載の電子番組ガイド表示装置。
【請求項６】
上記制御部は、上記複数の番組カードのうち、現在フォーカスされている選択中の選択番組カードに対応した時間軸の長さを他よりも引き伸ばす
ことを特徴とする請求項１に記載の電子番組ガイド表示装置。
【請求項７】
上記制御部は、上記番組カードに対応した番組の放送時間を当該番組カードと隣接する他の番組カードとの配置間隔によって表現する
ことを特徴とする請求項１に記載の電子番組ガイド表示装置。
【請求項８】
放送局軸及び時間軸に基づいて２次元的に構成された基本フレームを基本フレーム生成部によって生成する基本フレーム生成ステップと、
上記基本フレームの上記放送局軸及び上記時間軸に沿いながら、３次元番組表生成部によって番組のタイトルを記載した複数の番組カードがドミノ状に立体配置されたかのように見える３次元番組表画像を生成する３次元番組表画像生成ステップと、
上記３次元番組表画像を制御部によって所定の表示部に対して出力することにより当該３次元番組表画像を電子番組ガイドとして表示させる表示制御ステップと
を有することを特徴とする電子番組ガイド表示方法。
【請求項９】
放送局軸及び時間軸に基づいて２次元的に構成された基本フレームを生成する基本フレーム生成ステップと、
上記基本フレームの上記放送局軸及び上記時間軸に沿いながら、番組のタイトルを記載した複数の番組カードがドミノ状に立体配置されたかのように見える３次元番組表画像を生成し、これを電子番組ガイドとして表示する３次元番組表画像生成ステップと
を有することを特徴とするグラフィカルユーザインタフェース。
【発明の詳細な説明】
【技術分野】
【０００１】
本発明は、電子番組ガイド表示装置、電子番組ガイド表示方法及びグラフィカルユーザインタフェースに関し、例えばＥＰＧ(Electronic Program Guide)と呼ばれる電子番組ガイドを表示するディジタルテレビジョン受信機に適用して好適なものである。
【背景技術】
【０００２】
従来、テレビやパーソナルコンピュータ等の画面上にテレビの電子番組ガイドすなわちＥＰＧを表示するものがある。図１に示すように、この電子番組ガイドＧＡでは番組情報を２次元の表形式で表現することが一般的である。
【０００３】
一方、ＥＰＧを日付別に重ねた状態で３次元的に表示する電子番組ガイド表示制御装置（例えば、特許文献１参照）や、現在選局されている番組だけを３次元で立体的に表示する映像表示装置（例えば、特許文献２参照）がある。
【特許文献１】特開2001-169197公報
【特許文献２】特開2005-101680公報
【発明の開示】
【発明が解決しようとする課題】
【０００４】
ところで上述した特許文献１に記載の電子番組ガイド表示制御装置においては、日付別に電子番組表を重ねて表示しているに過ぎず、同一日付では２次元的な電子番組表と何ら変わりなく、一度に表示できる情報量が少なく、コンピュータ等の操作に精通していない一般のユーザにとっては直感的に理解し難く、操作が難しい印象を与えるという問題があった。
【０００５】
また上述した特許文献２に記載の映像表示装置においては、現在選局されている番組だけを３次元で立体的に表示し、残り全ての番組については２次元的に表示するものであって、この場合も一度に表示できる情報量が少なく、コンピュータ等の操作に精通していない一般のユーザにとっては直感的に理解し難く、操作が難しい印象を与えるという問題があった。
【０００６】
本発明は以上の点を考慮してなされたもので、誰に対しても直感的に理解し易く、操作性の高い電子番組ガイドを生成して表示し得る電子番組ガイド表示装置、電子番組ガイド表示方法及びグラフィカルユーザインタフェースを提案しようとするものである。
【課題を解決するための手段】
【０００７】
かかる課題を解決するため本発明の電子番組ガイド表示装置及び電子番組ガイド表示方法においては、放送局軸及び時間軸に基づいて２次元的に構成された基本フレームを生成し、基本フレームの放送局軸及び時間軸に沿いながら、番組のタイトルを記載した複数の番組カードがドミノ状に立体配置されたかのように見える３次元番組表画像を生成し、当該３次元番組表画像を所定の表示部に対して出力することにより当該３次元番組表画像を電子番組ガイドとして表示させるようにする。
【０００８】
これにより、基本フレームの放送局軸及び時間軸に沿いながら、複数の番組カードがドミノ状に立体配置されたかのように見える情報量の多い３次元番組表画像を電子番組ガイドとして提示することができるので、ユーザに対して直感的に理解し易く操作性の高い電子番組ガイドを提供することができる。
【０００９】
また本発明のグラフィカルユーザインタフェースにおいては、放送局軸及び時間軸に基づいて２次元的に構成された基本フレームを生成し、基本フレームの放送局軸及び時間軸に沿いながら、番組のタイトルを記載した複数の番組カードがドミノ状に立体配置されたかのように見える３次元番組表画像を生成し、これを電子番組ガイドとして表示するようにする。
【００１０】
これにより、基本フレームの放送局軸及び時間軸に沿いながら、複数の番組カードがドミノ状に立体配置されたかのように見える情報量の多い３次元番組表画像を電子番組ガイドとして提示することができるので、ユーザに対して直感的に理解し易く操作性の高い電子番組ガイドを提供することができる。
【発明の効果】
【００１１】
本発明によれば、基本フレームの放送局軸及び時間軸に沿いながら、複数の番組カードがドミノ状に立体配置されたかのように見える情報量の多い３次元番組表画像を電子番組ガイドとして提示することにより、ユーザに対して直感的に理解し易く操作性の高い電子番組ガイドを提供することができ、かくして誰に対しても直感的に理解し易く、操作性の高い電子番組ガイドを生成して表示し得る電子番組ガイド表示装置、電子番組ガイド表示方法及びグラフィカルユーザインタフェースを実現することができる。
【発明を実施するための最良の形態】
【００１２】
以下、図面について、本発明の一実施の形態を詳述する。
【００１３】
（１）ディジタルテレビジョン受信機の回路構成
図２において、１は全体として本発明におけるディジタルテレビジョン受信機を示し、ＣＰＵ(Central Processing Unit)２がＲＯＭ(Read Only Memory)５から読み出してＲＡＭ(Random Access Memory)６に起動した基本プログラムに従って全体を統括制御するようになされている。
【００１４】
またディジタルテレビジョン受信機１は、ＣＰＵ２が当該ＲＯＭ５から読み出してＲＡＭ６に起動した各種アプリケーションプログラムに従って種々の機能を実現するようになされている。
【００１５】
このディジタルテレビジョン受信機１では、衛星や地上波等のディジタルテレビジョン放送信号のＴＶ放送波をアンテナＡＮＴにより受信し、そのディジタルテレビジョン放送信号をＴＶ(Television)チューナ４に入力する。
【００１６】
ＴＶチューナ４は、ディジタルテレビジョン放送信号のうちユーザによって選局された放送局の番組データを復号することにより得られた番組映像を、バス８を介してマルチプレクサ７へ送出する一方、当該放送局から同時に送られてくるＥＰＧの番組表データをＣＰＵ２へ送出する。
【００１７】
ＣＰＵ２は、その番組表データに基づいてＴＶ番組毎の番組タイトルが記載された所定サイズの矩形状でなる番組カード（後述する）を生成すると共に、当該番組カードの表示位置等を計算する等の３次元的な電子番組ガイド（後述する）を作成するための準備を行う。
【００１８】
ＧＰＵ３は、ＣＰＵ２によって行われた準備の結果に基づいて電子番組ガイドを作成し、その電子番組ガイドをマルチプレクサ７へ送出する。
【００１９】
マルチプレクサ７は、ＴＶチューナ４から供給された番組映像に対して、ＧＰＵ３によって作成された電子番組ガイドを重ねることにより出力映像を生成し、それをモニタ９へ出力するようになされている。
【００２０】
またディジタルテレビジョン受信機１では、リモートコントローラ（以下、これをリモコンと呼ぶ）ＲＣからの命令を、赤外線インタフェース１０を介して受け取り、その命令をＣＰＵ２へ伝達することにより、当該命令に応じた各種処理を実行するようになされている。
【００２１】
（２）電子番組ガイドの構造
次に、このディジタルテレビジョン受信機１が作成してモニタ９へ表示させる電子番組ガイドの構造について詳述する。
【００２２】
図３に示すように、モニタ９に表示される電子番組ガイドＧ１は、横軸に、複数種類の放送局が並べられた放送局軸（Ｘ軸）、縦軸に、放送時刻が示された時間軸（Ｙ軸）を有する基本フレームを持つ。
【００２３】
そして電子番組ガイドＧ１は、この基本フレームに対して、ＴＶ番組単位で番組タイトルが記載された複数の番組カードＣＤが放送局軸（Ｘ軸）及び時間軸（Ｙ軸）に沿ってドミノ状に並べられ、斜め上方から全体を見渡せるような角度で表示されている。
【００２４】
電子番組ガイドＧ１では、時間軸に１時間単位で区切られた複数の時間表示枠ＴＷが複数種類の放送局にそれぞれ対応した状態で並べられ、その時間表示枠ＴＷが例えば３時間毎又は６時間毎に色分けされている（斜線で示す）。
【００２５】
例えば、電子番組ガイドＧ１では、昼の明るい時間帯として例えばＰＭ２時〜４時が「薄い橙色」、その後のＰＭ５時〜７時が「濃い橙色」、さらに、その後のＰＭ８時〜１０時が「紫色」、夕方以降のＰＭ１１時〜ＡＭ１時が「青色」のように色分け表示されており、その色の明るさを通して時間帯を直感的に認識させ得るようになされている。
【００２６】
また電子番組ガイドＧ１では、３時間毎に色が変化した直後の時間帯である例えばＰＭ８時の時間表示枠ＴＷでは、「濃い橙色」から「紫色」へ変化する途中のグラデーション化された混合色で色分けされており、急激に変化するのではなく色による時間的な繋がりを示すようになされている。
【００２７】
番組カードＣＤは、矩形状に形成され、１時間番組に対応したサイズを基本としたカードでなり、１時間以下の例えば３０分番組の番組カードＣＤｈについては、１時間番組の番組カードＣＤに比して半分の高さのサイズで形成されている。
【００２８】
従って、電子番組ガイドＧ１では、番組カードＣＤ及びＣＤｈにおける高さの違いによって、その番組時間長をユーザに対して直感的に認識させ得るようになされている。
【００２９】
但し、番組カードＣＤでは、図４に示すように、例えば番組カードＣＤ（例えば「恋のエプロン」）の一つ前に位置する番組カードＣＤに対応した５時から放送予定の「スーパーＮチャンネル」が２時間の番組時間長であっても、そのカードのサイズは１時間番組と同じ大きさであるが、その場合、その番組カードＣＤと次の番組カードＣＤとが２時間分の時間表示枠ＴＷを隔てて配置されている。
【００３０】
このように電子番組ガイドＧ１では、番組カードＣＤ及びＣＤｈが放送局軸（Ｘ軸）及び時間軸（Ｙ軸）に沿って立てられ、かつ番組時間長の間隔を持った状態すなわちドミノ状に配列されているかのように見える。
【００３１】
ここで、番組カードＣＤ及びＣＤｈは、その番組タイトルがカード上方に記載されており、それぞれが番組時間長の間隔を持ってドミノ状に配列されている。
【００３２】
従って電子番組ガイドＧ１としては、斜め上方から全体を見渡せるような角度で表示されたとき、ドミノ状に配列されているかのように見える全ての番組カードＣＤ及びＣＤｈの番組タイトルをユーザに対して目視確認させ得るようになされている。
【００３３】
なお、電子番組ガイドＧ１では、この番組カードＣＤ及びＣＤｈが半透明化された白色で構成されているため、前にある番組カードＣＤによって後ろの番組カードＣＤが見え難い状態であっても、半透明化された前の番組カードＣＤを介して常に後ろの番組カードＣＤの番組タイトルをユーザに対して目視確認させ得るようになされている。
【００３４】
また番組カードＣＤ及びＣＤｈは、図５に示すように、その表面の右下部分にＴＶ番組のジャンルを示す例えばジャンルアイコンＪＡ１〜ＪＡ７が付されており、それによってＴＶ番組のジャンルを大まかに提示し得るようになされている。
【００３５】
ここでジャンルアイコンＪＡ１は、「キッズ（子供向け番組）」のジャンルを意味し、ジャンルアイコンＪＡ２は、「音楽」のジャンルを意味し、ジャンルアイコンＪＡ３は、「ドラマ」のジャンルを意味し、ジャンルアイコンＪＡ４は、「映画」のジャンルを意味し、ジャンルアイコンＪＡ５は、「ニュース」のジャンルを意味し、ジャンルアイコンＪＡ６は、「バラエティ」のジャンルを意味し、ジャンルアイコンＪＡ７は、「スポーツ」のジャンルを意味する。
【００３６】
電子番組ガイドＧ１では、このようなジャンルアイコンＪＡ１〜ＪＡ７が付された番組表カードＣＤ及びＣＤｈを表示することにより、番組タイトル及びジャンルアイコンＪＡを介して、それがどのような内容のＴＶ番組であるかをユーザに対して容易に理解させ得るようになされている。
【００３７】
さらに電子番組ガイドＧ１では、ほぼ中央に設定されたフォーカス位置に存在する番組カードＣＤを選択状態であると認定するようになされている。その際、電子番組ガイドＧ１では、図４に示したように、そのフォーカスされた番組カードＣＤ（例えば「恋のエプロン」）については、当初よりも垂直上方へ所定距離だけ高い表示位置へ移動して表示することにより、現在その番組カードＣＤがフォーカスされた選択状態にあることをユーザに対して容易に認識させ得るようになされている。
【００３８】
このとき電子番組ガイドＧ１では、現在フォーカスされた番組カードＣＤと対応した時間帯（この場合、７時）の時間表示枠ＴＷが、その奥側の番組カードＣＤや、その手前側の番組カードＣＤと対応した時間表示枠ＴＷよりも長く伸びた状態に設定され、その時間表示枠ＴＷの長さに合わせた間隔で前後の番組カードＣＤが配列されている。
【００３９】
従って電子番組ガイドＧ１では、現在フォーカスされている番組カードＣＤに対する見易さを向上しながら、その時間帯が現在選択されていることをユーザに対して直感的に認識させ得ると共に、当該番組カードＣＤよりも奥側又は手前側に存在する複数の番組カードＣＤについては、番組カードＣＤ同士の重なり具合を増大させることにより、１画面中に表示し得る番組カードＣＤの情報量を増加させ得るようになされている。
【００４０】
因みに、時間表示枠ＴＷは、現在フォーカスされた番組カードＣＤの存在する時間帯が最も長く、その前後の時間帯になるに連れて次第に短くなるように表示されているが、電子番組ガイドＧ１としては、斜め上方から全体を見渡せるような角度で、かつ遠近法により表現されているため、フォーカスされた番組カードＣＤに対して手前側の時間帯よりも奥側の時間帯の方が、その時間表示枠ＴＷの長さが短く見えるようになされている。
【００４１】
このとき電子番組ガイドＧ１では、現在フォーカスされている番組カードＣＤに対する輝度レベルを増減調整した状態で強調表示するようになされており、これにより、当該番組カードＣＤだけが明るくなったり、暗くなったりするので、ユーザに対して何れの番組カードＣＤが現在選択されているのかを瞬時に認識させ得るようになされている。
【００４２】
このようにディジタルテレビジョン受信機１のＣＰＵ２は、ＧＰＵ３を介して、フォーカスされた番組カードＣＤを他の番組カードＣＤよりも一段と高く飛び出させて表示したり、当該番組カードＣＤの輝度レベルを増減調整して強調表示するといったアニメーション表示を行うことにより、その番組カードＣＤの動きを介して当該番組カードＣＤが選択されていることをユーザに対して瞬時かつ容易に認識させ得るようになされている。
【００４３】
因みに電子番組ガイドＧ１は、現在フォーカスされている番組カードＣＤに対応したＴＶ番組の「番組タイトル」、「放送日時」、「放送局名」及び「番組内容」等が含まれた詳細情報画面Ｄｉを、当該番組カードＣＤとは異なる位置に表示すると共に、電子番組ガイドＧ１の番組表タイトルＴＬ（この場合「テレビ天国」）を表示するようになされている。
【００４４】
実際上、ディジタルテレビジョン受信機１のＣＰＵ２は、図３、図４、図６及び図７に示すように、ユーザによるリモコンＲＣの上矢印ボタンに対する押下操作に応じて、ＧＰＵ３により電子番組ガイドＧ１を全体的に手前側へ移動させるようになされている。
【００４５】
その際、電子番組ガイドＧ１では、フォーカス位置に存在する番組カードＣＤも「恋のエプロン」→「銭型銀次郎」→「パートナー」のように順次切り換わるので、その度に番組カードＣＤの表示位置を垂直上方へ移動させて表示するようになされている。
【００４６】
因みに、ディジタルテレビジョン受信機１のＣＰＵ２は、電子番組ガイドＧ１の現在フォーカスされている番組カードＣＤを未選択の番組カードＣＤへ切り換える度に、詳細情報画面Ｄｉの内容についても変更して表示するようになされている。
【００４７】
これに加えて図３に示した電子番組ガイドＧ１では、現在フォーカスされている番組カードＣＤの時間帯（この場合、午後７時）と対応した位置に、複数の放送局にそれぞれ対応した複数のロゴマークＬＭが複数の番組カードＣＤの下方にそれぞれ表示されている。
【００４８】
特に電子番組ガイドＧ１では、現在フォーカスされている番組カードＣＤを他に比べて一段と高い表示位置に移動させている関係上、その放送局のロゴマークＬＭが番組カードＣＤによって隠蔽されることなくユーザに対して容易に目視確認させ得るようになされている。
【００４９】
実際上、このような電子番組ガイドＧ１は、図８に示すように、放送局軸（Ｘ軸）に沿って放送局毎のロゴマークＬＭだけが配置されたロゴマーク画像Ｇ１Ａ、図９に示すように放送局軸（Ｘ軸）及び時間軸（Ｙ軸）の基本フレームに沿って複数の番組カードＣＤ、ＣＤｈが配置された３次元番組表画像Ｇ１Ｂ及び、図１０に示すように詳細情報画面Ｄｉ及び番組表タイトルＴＬが配置された番組詳細情報画像Ｇ１Ｃが、図１１に示すように３層重ねられた状態で構成されている。
【００５０】
従って、ディジタルテレビジョン受信機１では、ユーザによるリモコンＲＣの上下矢印ボタンに対する押下操作が行われたとき、ロゴマーク画像Ｇ１Ａについては固定したまま、当該ロゴマーク画像Ｇ１Ａの上で、３次元番組表画像Ｇ１Ｂだけを移動表示することにより電子番組ガイドＧ１として表示すべき表示範囲の時間帯をシフトさせるようになされている。
【００５１】
このときディジタルテレビジョン受信機１のＣＰＵ２は、３次元番組表画像Ｇ１Ｂを移動させたときでも、ロゴマーク画像Ｇ１Ａを固定しているため、現在フォーカスされている番組カードＣＤの時間帯（この場合、午後７時）と対応した同じ位置に存在する放送局毎のロゴマークＬＭをユーザに常時視認させることができ、かくして当該ロゴマークＬＭをユーザが見失ってしまうことを予め回避するようになされている。
【００５２】
なお図１２に示すように、ディタルテレビジョン受信機１のＣＰＵ２は、電子番組ガイドＧ１の表示角度を任意に変更できるようになされており、その際に放送局軸（Ｘ軸）、時間軸（Ｙ軸）に加えて、番組カードＣＤを垂直上方へ移動させる際の移動軸をＺ軸と設定する。
【００５３】
ディジタルテレビジョン受信機１のＣＰＵ２は、図１３に示すように、例えばリモコンＲＣの右矢印ボタンがユーザによって押下操作された場合、あたかも視点ＳＳがＸ軸に沿った矢印Ａ方向へ移動したかのように電子番組ガイドＧ１の３次元番組表画像Ｇ１Ｂを全体的にシフトして表示する。
【００５４】
これによりディジタルテレビジョン受信機１のＣＰＵ２は、図３に示したような表示角度の電子番組ガイドＧ１をモニタ９に提示し得るようになされている。
【００５５】
一方、ディジタルテレビジョン受信機１のＣＰＵ２は、例えばリモコンＲＣの左矢印ボタンがユーザによって押下操作された場合、あたかも視点ＳＳがＸ軸に沿った矢印Ｂ方向へ移動したかのように電子番組ガイドＧ１の３次元番組表画像Ｇ１Ｂを全体的にシフトして表示する。
【００５６】
これによりディジタルテレビジョン受信機１のＣＰＵ２は、図３に示したのとは逆の表示角度でなる電子番組ガイドＧ１（図示せず）をモニタ９に提示し得るようになされている。
【００５７】
またディジタルテレビジョン受信機１のＣＰＵ２は、ユーザによるリモコンＲＣの上矢印ボタンに対する押下操作に応じて、あたかも視点ＳＳがＹ軸に沿った矢印Ｃ方向へ移動したかのように電子番組ガイドＧ１の３次元番組表画像Ｇ１Ｂを全体的にシフトして表示し、リモコンＲＣの下矢印ボタンに対する押下操作に応じて、あたかも視点ＳＳがＹ軸に沿った矢印Ｄ方向へ移動したかのように３次元番組表画像Ｇ１Ｂを全体的にシフトして表示するようになされている。
【００５８】
これによりディジタルテレビジョン受信機１のＣＰＵ２は、その表示角度によりＹ軸（時間軸）に沿って並べられた複数の番組カードＣＤの重なり具合を調整した結果の電子番組ガイドＧ１（図示せず）をモニタ９に提示し得るようになされている。
【００５９】
すなわちディジタルテレビジョン受信機１のＣＰＵ２は、リモコンＲＣの上矢印ボタンに対する押下操作に応じて、あたかも視点ＳＳがＹ軸に沿った矢印Ｃ方向へ移動したかのように電子番組ガイドＧ１の３次元番組表画像Ｇ１Ｂを全体的にシフトして表示したとき、ユーザにとっては複数の番組カードＣＤの重なり具合が少なくなって見えるものの、番組タイトル等が読み難くなる。
【００６０】
逆にディジタルテレビジョン受信機１のＣＰＵ２は、リモコンＲＣの下矢印ボタンに対する押下操作に応じて、あたかも視点ＳＳがＹ軸に沿った矢印Ｄ方向へ移動したかのように３次元番組表画像Ｇ１Ｂを全体的にシフトして表示したとき、複数の番組カードＣＤの重なり具合が多くなって一度に表示可能な情報量を増加させるものの、後ろ側の番組カードＣＤほどその番組タイトル等が読み難くなる。
【００６１】
すなわちディジタルテレビジョン受信機１のＣＰＵ２は、リモコンＲＣの左右矢印ボタンや上下矢印ボタンに対する押下操作に応じて視点ＳＳを動かした表示角度の電子番組ガイドＧ１をモニタ９に提示し得るようにしたことにより、どのようなユーザにとって最も見やすい表示形態の電子番組ガイドＧ１を提供し得るようになされている。
【００６２】
因みにディジタルテレビジョン受信機１のＣＰＵ２では、ユーザによるリモコンＲＣの上矢印ボタンに対する押下操作に応じて、視点ＳＳがＹ軸に沿った矢印Ｄ方向へ移動したかのように電子番組ガイドＧ１の３次元番組表画像Ｇ１Ｂを全体的にシフトして表示したり、リモコンＲＣの下矢印ボタンに対する押下操作に応じて、視点ＳＳがＹ軸に沿った矢印Ｃ方向へ移動したかのように３次元番組表画像Ｇ１Ｂを全体的にシフトして表示するようにしても良く、ユーザの好みや設計の自由によって任意に変更することが出来るようになされている。
【００６３】
最後に、電子番組ガイドＧ１では、図１４に示すように、例えば「恋のエプロン」の番組タイトルを持つ番組カードＣＤが現在フォーカスされている状態で、リモコンＲＣの予約ボタン（図示せず）が押下操作されたことを認識すると、その番組カードＣＤの下方にサブメニュー画面ＳＭＮを表示するようになされている。
【００６４】
サブメニュー画面ＳＭＮでは、録画予約ボタンＢ１、視聴予約ボタンＢ２及び閉じるボタンＢ３が設けられている。従ってディジタルテレビジョン受信機１のＣＰＵ２は、録画予約ボタンＢ１が選択された場合、その放送時刻になったときに外部接続された録画装置に対して自動的に「恋のエプロン」のＴＶ番組を録画するように設定する。
【００６５】
またディジタルテレビジョン受信機１のＣＰＵ２は、視聴予約ボタンＢ２が押下操作された場合、その放送時刻になったとき自動的に「恋のエプロン」のＴＶ番組をモニタ９に表示することにより、ユーザが視聴し忘れることを防止するようになされている。
【００６６】
因みにディジタルテレビジョン受信機１のＣＰＵ２は、閉じるボタンＢ３が押下操作された場合、サブメニュー画面ＳＭＮを消去するようになされている。
【００６７】
（３）電子番組ガイド作成理手順
次に、ディジタルテレビジョン受信機１のＣＰＵ２が、アプリケーションプログラムである電子番組ガイド作成プログラムに従って上述した電子番組ガイドＧ１を作成するまでの電子番組ガイド作成処理手順について、図１５のフローチャートを用いて説明する。
【００６８】
実際上、ディジタルテレビジョン受信機１のＣＰＵ２は、ルーチンＲＴ１の開始ステップから入って次のステップＳＰ１へ移り、放送局から番組データと共に送られてくるＥＰＧの番組表データを読み込み、次のステップＳＰ２へ移る。
【００６９】
ステップＳＰ２においてディジタルテレビジョン受信機１のＣＰＵ２は、デフォルト設定された電子番組ガイドＧ１の表示角度を認識し、次のステップＳＰ３へ移る。
【００７０】
ステップＳＰ３においてディジタルテレビジョン受信機１のＣＰＵ２は、電子番組ガイドＧ１の表示角度に合わせた形状でなる放送局のロゴマークＬＭをそれぞれ生成した後、ＧＰＵ３によって放送局毎のロゴマークＬＭが配置されたロゴマーク画像Ｇ１Ａ（図８、図１１）を描画させ、次のステップＳＰ４へ移る。
【００７１】
ステップＳＰ４においてディジタルテレビジョン受信機１のＣＰＵ２は、電子番組ガイドＧ１の表示角度に合わせた形状でなる番組カードＣＤを生成し、次のステップＳＰ５へ移る。
【００７２】
ステップＳＰ５においてディジタルテレビジョン受信機１のＣＰＵ２は、ステップＳＰ４で生成した全ての番組カードＣＤの基本フレーム（放送局軸（Ｘ軸）×時間軸（Ｙ軸））に対する表示位置を計算し、次のステップＳＰ６へ移る。
【００７３】
ステップＳＰ６においてディジタルテレビジョン受信機１のＣＰＵ２は、ＧＰＵ３により基本フレームに対して全ての番組カードＣＤを描画させることにより３次元番組表画像Ｇ１Ｂ（図９、図１１）を生成し、次のステップＳＰ７へ移る。
【００７４】
ステップＳＰ７においてディジタルテレビジョン受信機１のＣＰＵ２は、電子番組ガイドＧ１における中央のフォーカス位置を介して現在フォーカスされている番組カードＣＤに対応したＴＶ番組の詳細情報画面Ｄｉ及び番組表タイトルＴＬが配置された番組詳細情報画像Ｇ１Ｃ（図１０、図１１）をＧＰＵ３により描画させ、次のステップＳＰ８へ移る。
【００７５】
ステップＳＰ８においてディジタルテレビジョン受信機１のＣＰＵ２は、ステップＳＰ３で生成したロゴマーク画像Ｇ１Ａ、ステップＳＰ６で生成した３次元番組表画像Ｇ１Ｂ及びステップＳＰ７で生成した番組詳細情報画像Ｇ１Ｃを重ね合わせることにより電子番組ガイドＧ１（図１１）を生成し、次のステップＳＰ９へ移る。
【００７６】
ステップＳＰ９においてディジタルテレビジョン受信機１のＣＰＵ２は、電子番組ガイドＧ１で現在フォーカスされている番組カードＣＤを他よりも上方へ飛び出した位置に移動表示すると共に、当該番組カードＣＤに対する輝度レベルを交互に増減調整した状態で強調表示することにより、現在選択されている番組カードＣＤがどれであるかを一目で分かるように提示した後、次のステップＳＰ１０へ移って処理を終了する。
【００７７】
（４）アニメーション処理手順
続いて、ディジタルテレビジョン受信機１のＣＰＵ２が、アプリケーションプログラムであるアニメーション処理プログラムに従って、上述した電子番組ガイドＧ１の表示角度をＸ軸方向への視点変更に伴って動かす際のアニメーション処理手順と、電子番組ガイドＧ１の表示角度をＹ軸方向への視点変更に伴って動かす際のアニメーション処理手順とをそれぞれ説明する。
【００７８】
（４−１）Ｘ軸方向への視点変更に伴うアニメーション処理手順
図１６に示すように、ディジタルテレビジョン受信機１のＣＰＵ２は、ルーチンＲＴ２の開始ステップから入って次のステップＳＰ１１へ移り、電子番組ガイドＧ１をモニタ９に表示しているとき、リモコンＲＣの左右矢印ボタンが押下操作されたことを認識すると、次のステップＳＰ１２へ移る。
【００７９】
ステップＳＰ１２においてディジタルテレビジョン受信機１のＣＰＵ２は、ロゴマーク画像Ｇ１Ａにおける全てのロゴマークＬＭと、３次元番組表画像Ｇ１Ｂにおける全ての番組カードＣＤ及び時間表示枠ＴＷとが全て一体のまま、Ｘ軸に沿って視点ＳＳが移動されたときに見えるであろう表示角度の電子番組ガイドＧ１をモニタ９へ提示するためのアニメーション設定を行い、次のステップＳＰ１３へ移る。
【００８０】
ステップＳＰ１３においてディジタルテレビジョン受信機１のＣＰＵ２は、ステップＳＰ１２で行ったアニメーション設定に従い、Ｘ軸に沿って視点ＳＳが移動するかのような表示角度に電子番組ガイドＧ１を次第に変更していくことによりアニメーション表示を開始し、次のステップＳＰ１４へ移る。
【００８１】
ステップＳＰ１４においてディジタルテレビジョン受信機１のＣＰＵ２は、ステップＳＰ１３で開始したアニメーション表示が現在も行われているか否かを判定し、肯定結果が得られると次のステップＳＰ１５へ移る。
【００８２】
ステップＳＰ１５においてディジタルテレビジョン受信機１のＣＰＵ２は、電子番組ガイドＧ１の表示角度を変更すべきアニメーション設定に従って全てのロゴマークＬＭの表示位置及びその形状を再計算してロゴマーク画像Ｇ１Ａを描画し直し、次のステップＳＰ１６へ移る。
【００８３】
ステップＳＰ１６においてディジタルテレビジョン受信機１のＣＰＵ２は、アニメーション設定に従って、時間表示枠ＴＷ、全ての番組カードＣＤの表示位置及びその形状を再計算して３次元番組表画像Ｇ１Ｂを描画し直し、再度ステップＳＰ１４へ戻る。
【００８４】
これによりディジタルテレビジョン受信機１のＣＰＵ２は、電子番組ガイドＧ１の表示角度を変更すべきアニメーション設定に従い、電子番組ガイドＧ１を構成しているロゴマーク画像Ｇ１Ａ及び３次元番組表画像Ｇ１Ｂを描画し直すことにより、Ｘ軸に沿って視点ＳＳが移動するかのような表示角度に電子番組ガイドＧ１を変更しているアニメーション表示を行うことができる。
【００８５】
ステップＳＰ１４においてディジタルテレビジョン受信機１のＣＰＵ２は、アニメーション設定に従ったアニメーション表示が終了するまで当該ステップＳＰ１４〜ステップＳＰ１６までの処理を繰り返し、アニメーション表示が終了したとき否定結果を得、次のステップＳＰ１７へ移って処理を終了する。
【００８６】
（４−２）Ｙ軸方向への視点変更に伴うアニメーション処理手順
図１７に示すように、ディジタルテレビジョン受信機１のＣＰＵ２は、ルーチンＲＴ３の開始ステップから入って次のステップＳＰ２１へ移り、電子番組ガイドＧ１をモニタ９に表示しているとき、リモコンＲＣの上下矢印ボタンが押下操作されたことを認識すると、次のステップＳＰ２２へ移る。
【００８７】
ステップＳＰ２２においてディジタルテレビジョン受信機１のＣＰＵ２は、ロゴマーク画像Ｇ１Ａにおける全てのロゴマークＬＭと、３次元番組表画像Ｇ１Ｂにおける全ての番組カードＣＤ及び時間表示枠ＴＷとが全て一体のまま、Ｙ軸に沿って視点ＳＳが移動されたときに見えるであろう表示角度の電子番組ガイドＧ１をモニタ９へ提示するためのアニメーション設定を行い、次のステップＳＰ２３へ移る。
【００８８】
ステップＳＰ２３においてディジタルテレビジョン受信機１のＣＰＵ２は、ステップＳＰ２２で行ったアニメーション設定に従い、Ｙ軸に沿って視点ＳＳが移動するかのような表示角度に電子番組ガイドＧ１を次第に変更していくことによりアニメーション表示を開始し、次のステップＳＰ２４へ移る。
【００８９】
ステップＳＰ２４においてディジタルテレビジョン受信機１のＣＰＵ２は、ステップＳＰ２３で開始したアニメーション表示が現在も行われているか否かを判定し、肯定結果が得られると次のステップＳＰ２５へ移る。
【００９０】
ステップＳＰ２５においてディジタルテレビジョン受信機１のＣＰＵ２は、電子番組ガイドＧ１の表示角度を変更すべきアニメーション設定に従い、時間表示枠ＴＷ、全ての番組カードＣＤの表示位置及びその形状を再計算して３次元番組表画像Ｇ１Ｂを描画し直し、再度ステップＳＰ２４へ戻る。
【００９１】
ここでディジタルテレビジョン受信機１のＣＰＵ２は、Ｙ軸に沿って視点ＳＳが移動するかのような表示角度に電子番組ガイドＧ１を変更するアニメーション設定であるため、当初からロゴマーク画像Ｇ１Ａに対して２次元的に配置されているロゴマークＬＭに対する表示位置及びその形状を再計算し、ロゴマーク画像Ｇ１Ａを再描画する必要はない。
【００９２】
これによりディジタルテレビジョン受信機１のＣＰＵ２は、電子番組ガイドＧ１の表示角度を変更すべきアニメーション設定に従って電子番組ガイドＧ１を構成している３次元番組表画像Ｇ１Ｂを描画し直すことにより、Ｙ軸に沿って視点ＳＳが移動するかのような表示角度に電子番組ガイドＧ１を変更しているアニメーション表示を行うことができる。
【００９３】
ステップＳＰ２４においてディジタルテレビジョン受信機１のＣＰＵ２は、アニメーション設定に従ったアニメーション表示が終了するまで当該ステップＳＰ２４及びステップＳＰ２５の処理を繰り返し、アニメーション表示が終了したとき否定結果を得、次のステップＳＰ２６へ移って処理を終了する。
【００９４】
（５）番組カード選択時のアニメーション処理手順
最後に、ディジタルテレビジョン受信機１のＣＰＵ２が、アプリケーションプログラムであるアニメーション処理プログラムに従って、上述した電子番組ガイドＧ１の番組カードＣＤがフォーカスされたとき、他よりも上方へ飛び出した高さ位置に移動表示すると共に、当該番組カードＣＤに対する輝度レベルを増減調整した状態で強調表示する一連のアニメーション処理手順を、図１８のフローチャートにより説明する。
【００９５】
ディジタルテレビジョン受信機１のＣＰＵ２は、ルーチンＲＴ４の開始ステップから入って次のステップＳＰ３１へ移り、最初に全ての放送局について終了したか否かを判定し、否定結果が得られると次のステップＳＰ３２へ移る。
【００９６】
ステップＳＰ３２においてディジタルテレビジョン受信機１のＣＰＵ２は、まだ全ての放送局についてアニメーション処理の検証が終了していないので次の放送局へ切り換え、次のステップＳＰ３３へ移る。
【００９７】
ステップＳＰ３３においてディジタルテレビジョン受信機１のＣＰＵ２は、その放送局に対応した番組カードＣＤの放送局軸方向（すなわちＸ軸方向）における描画位置を求め、次のステップＳＰ３４へ移る。
【００９８】
ステップＳＰ３４においてディジタルテレビジョン受信機１のＣＰＵ２は、その放送局における全ての番組カードＣＤについてアニメーション処理の検証が終了したか否かを判定し、否定結果が得られると次のステップＳＰ３５へ移る。
【００９９】
ステップＳＰ３５においてディジタルテレビジョン受信機１のＣＰＵ２は、その放送局における全ての番組カードＣＤについて終了していないため、次の番組カードＣＤへ切り換え、次のステップＳＰ３６へ移る。
【０１００】
ステップＳＰ３６においてディジタルテレビジョン受信機１のＣＰＵ２は、その放送局によって放送されるＴＶ番組の放送時刻を基に、番組カードＣＤの時間軸方向（すなわちＹ軸方向）における描画位置を求め、次のステップＳＰ３７へ移る。
【０１０１】
ステップＳＰ３７においてディジタルテレビジョン受信機１のＣＰＵ２は、ステップＳＰ３３で求めた放送局軸方向（Ｘ軸方向）の描画位置及びステップＳＰ３６で求めた時間軸方向（Ｙ軸方向）の描画位置に対応した複数の番組カードＣＤのうち、任意の位置にある当該番組カードＣＤが現在フォーカスされているか否かを判定する。
【０１０２】
この場合ディジタルテレビジョン受信機１のＣＰＵ２は、当該番組カードＣＤの描画位置がほぼ中央のフォーカス位置に該当すれば、現在フォーカスされていると判定し、該当しなければ現在フォーカスされていないと判定するようになされている。
【０１０３】
ここで肯定結果が得られると、このことは当該番組カードＣＤがフォーカスされており、すなわちアニメーション処理の対象であることを表しており、このときディジタルテレビジョン受信機１のＣＰＵ２は、次のステップＳＰ３８へ移る。
【０１０４】
ステップＳＰ３８においてディジタルテレビジョン受信機１のＣＰＵ２は、フォーカスされている番組カードＣＤの下方にある放送局のロゴマークＬＭがユーザにとって目視確認できるように、当該番組カードＣＤの時間軸方向（Ｙ軸方向）における描画位置を微調整し、次のステップＳＰ３９へ移る。
【０１０５】
ステップＳＰ３９においてディジタルテレビジョン受信機１のＣＰＵ２は、当該番組カードＣＤに対する時間表示枠ＴＷを他よりも伸ばすことにより、当該番組カードＣＤの下方に見えるロゴマークＬＭの視認性を更に向上させ、次のステップＳＰ４０へ移る。
【０１０６】
ステップＳＰ４０においてディジタルテレビジョン受信機１のＣＰＵ２は、当該番組カードＣＤが他よりも高い垂直上方へ飛び出すかのように表示すべく、当該番組カードＣＤにおける新たなＺ軸方向の描画位置を求め、次のステップＳＰ４１へ移る。
【０１０７】
ステップＳＰ４１においてディジタルテレビジョン受信機１のＣＰＵ２は、ステップＳＰ４１で求めたＺ軸方向の描画位置に当該番組カードＣＤを移動表示し、ステップＳＰ３４へ戻る。
【０１０８】
この場合、ディジタルテレビジョン受信機１のＣＰＵ２は、新たに求めたＺ軸方向の描画位置に当該番組カードＣＤを移動表示することにより当該番組カードＣＤを他よりも上方に飛び出させると共に、当該番組カードＣＤに対する輝度レベルを交互に増減調整した状態で強調表示することにより、当該番組カードＣＤが現在選択されていることをユーザに対して直感的に認識させ得るようになされている。
【０１０９】
これに対してステップＳＰ３７で否定結果が得られると、このことは当該番組カードＣＤが現在フォーカスされているものではない、すなわちアニメーション処理の対象ではないことを表しており、このときディジタルテレビジョン受信機１のＣＰＵ２は、次のステップＳＰ４２へ移る。
【０１１０】
ステップＳＰ４２においてディジタルテレビジョン受信機１のＣＰＵ２は、当該番組カードＣＤが現在フォーカスされておらず、当該番組カードＣＤを他よりも上方へ飛び出した位置に移動表示する必要がないため、現在のＺ軸方向における描画位置を変更することなくそのまま用い、ステップＳＰ４１へ戻って、そのままの描画位置で番組カードＣＤを表示した後、ステップＳＰ３４へ戻る。
【０１１１】
ステップＳＰ３４においてディジタルテレビジョン受信機１のＣＰＵ２は、その放送局による全ての番組カードＣＤについて終了したか否かを再度判定し、肯定結果が得られるとステップＳＰ３１へ戻る。
【０１１２】
ステップＳＰ３１においてディジタルテレビジョン受信機１のＣＰＵ２は、ステップＳＰ３４以降における番組カードＣＤの表示処理を、全ての放送局について終了したか否かを判定し、否定結果が得られると次のステップＳＰ３２以降の処理を再度繰り返すのに対し、肯定結果が得られると、ステップＳＰ４３へ移って処理を終了する。
【０１１３】
（６）動作及び効果
以上の構成において、ディジタルテレビジョン受信機１のＣＰＵ２は、放送局軸（Ｘ軸）及び時間軸（Ｙ軸）に基づいて２次元的に構成された基本フレームに沿って、ＴＶ番組の番組タイトルが記載された複数の番組カードＣＤ、ＣＤｈが所定の間隔を持たせたドミノ状に立体配置されたかのように見せると共に、現在フォーカスされている番組カードＣＤに対応した詳細情報画面Ｄｉを配置した電子番組ガイドＧ１を生成し、これを所定の表示角度でモニタ９に表示する。
【０１１４】
従ってディジタルテレビジョン受信機１では、この電子番組ガイドＧ１のドミノ状に立体配置された複数の番組カードＣＤ、ＣＤｈを一度に多数提示することが出来るので、２次元的な番組表に比べて一度に表示できる情報量を増大させることができる。
【０１１５】
またディジタルテレビジョン受信機１では、複数の番組カードＣＤ、ＣＤｈを一度に多数提示することに加え、そのとき同時に表示される詳細情報画面Ｄｉを介して現在フォーカスされている番組カードＣＤに対応したＴＶ番組の内容についても容易に認識させることができる。
【０１１６】
またディジタルテレビジョン受信機１は、現在フォーカスされている番組カードＣＤについては、他よりも上方へ飛び出した位置に移動表示すると共に強調表示するようにしたことにより、多数存在する番組カードＣＤの中で、現在どの番組カードＣＤが選択されているかをユーザに対して直感的に認識させることができる。
【０１１７】
なおディジタルテレビジョン受信機１は、現在フォーカスされている番組カードＣＤを他よりも上方へ飛び出した位置に移動表示し、その下方に位置する放送局のロゴマークＬＭに対する視認性を向上させることにより、その番組カードＣＤの放送局についてもロゴマークＬＭを介して同時にかつ直感的に認識させることができる。
【０１１８】
因みに、ディジタルテレビジョン受信機１は、現在フォーカスされている番組カードＣＤの時間表示枠ＴＷを最も長く引き伸ばした状態で表示するようにしたことにより、時間表示枠ＴＷのサイズによって現在選択されている時間帯を認識させ易くすると共に、ロゴマークＬＭの視認性を一段と向上させることができる。
【０１１９】
またディジタルテレビジョン受信機１は、時間表示枠ＴＷを時間帯に応じて色分けし、かつ色の変化する時間表示枠ＴＷについてはグラデーション化された混合色で色付けしているため、ユーザに対して時間帯を数字ではなく色によって直感的に認識させることができ、かくしてコンピュータ等の操作に精通していない一般のユーザにとっても直感的に理解し易い電子番組ガイドＧ１を提供し、操作が易しい印象を与えることができる。
【０１２０】
さらにディジタルテレビジョン受信機１は、電子番組ガイドＧ１をロゴマーク画像Ｇ１Ａ、３次元番組表Ｇ１Ｂ及び番組詳細情報画像Ｇ１Ｃを重ねた３層構造とした。
【０１２１】
これによりディジタルテレビジョン受信機１は、視点ＳＳを移動させることに伴うアニメーション表示や、現在フォーカスされている番組カードＣＤに対するアニメーション表示を行う際に、特に動かす必要のない番組詳細情報画像Ｇ１Ｃについては表示変更が不要で、ＣＰＵ２及びＧＰＵ３に対する処理負荷を軽減することができる。
【０１２２】
以上の構成によれば、ディジタルテレビジョン受信機１では、放送局軸（Ｘ軸）及び時間軸（Ｙ軸）に基づいて２次元的に構成された基本フレームに対して、複数の番組カードＣＤ、ＣＤｈが所定の間隔を持たせたドミノ状に立体配置されたかのように見える電子番組ガイドＧ１を生成し、これを所定の表示角度でモニタ９に提示することにより、ユーザに対して直感的に理解し易くさせ、かつ、当該電子番組ガイドＧ１に対するユーザの操作性を一段と向上させることができる。
【０１２３】
（７）他の実施の形態
なお上述の実施の形態においては、現在フォーカスされている番組カードＣＤに対する輝度レベルを増減調整した状態で強調表示するようにした場合について述べたが、本発明はこれに限らず、番組カードＣＤの枠を太く、かつ当該番組カードＣＤとは異なる所定色で表示したり、番組カードＣＤに対する強調表示に加えて当該番組カードＣＤの枠を所定色で表示するようにしても良い。
【０１２４】
また上述の実施の形態においては、リモコンＲＣの左右矢印ボタンや上下矢印ボタンに対する押下操作に応じて視点ＳＳを動かしたことに伴う表示角度の電子番組ガイドＧ１をモニタ９に提示するようにした場合について述べたが、本発明はこれに限らず、デフォルトで２通り又は数通りの表示角度の電子番組ガイドＧ１を設定しておき、何れかをユーザに選ばせるようにしても良い。
【０１２５】
さらに上述の実施の形態においては、予めインストールされたアプリケーションプログラムである電子番組ガイド作成プログラムに従い、ルーチンＲＴ１における電子番組ガイド作成処理手順や、予めインストールされたアプリケーションプログラムであるアニメーション処理プログラムに従い、ルーチンＲＴ２〜ルーチンＲＴ４におけるアニメーション処理手順を実行するようにした場合について述べたが、本発明はこれに限らず、所定の記録媒体からインストールした電子番組ガイド作成プログラム、アニメーション処理プログラムや、インターネットからダウンロードした電子番組ガイド作成プログラム、アニメーション処理プログラム、その他種々のルートによってインストールした電子番組ガイド作成プログラム、アニメーション処理プログラムに従って上述した電子番組ガイド作成処理手順や、アニメーション処理手順を実行するようにしても良い。
【０１２６】
さらに上述の実施の形態においては、ロゴマーク画像Ｇ１Ａ、３次元番組表Ｇ１Ｂ及び番組詳細情報画像Ｇ１Ｃを重ね合わせることにより電子番組ガイドＧ１を作成するようにした場合について述べたが、本発明はこれに限らず、３次元番組表Ｇ１Ｂだけで電子番組ガイドＧ１を作成したり、ロゴマーク画像Ｇ１Ａに３次元番組表Ｇ１Ｂだけを重ね合わせることにより電子番組ガイドＧ１を作成したり、或いは３次元番組表Ｇ１Ｂに番組詳細情報画像Ｇ１Ｃだけを重ね合わせることにより電子番組ガイドＧ１を作成するようにしても良い。
【０１２７】
さらに上述の実施の形態においては、電子番組ガイド表示装置としてのディジタルテレビジョン受信機１を、基本フレーム生成部及び３次元番組表画像生成部としてのＣＰＵ２、ＧＰＵ３、制御部としてのＣＰＵ２によって構成するようにした場合について述べたが、本発明はこれに限らず、その他種々の回路構成でなる基本フレーム生成部、３次元番組表画像生成部及び制御部によって電子番組ガイド表示装置を構成するようにしても良い。
【産業上の利用可能性】
【０１２８】
本発明の電子番組ガイド表示装置、電子番組ガイド表示方法及びグラフィカルユーザインタフェースは、例えばディジタルテレビジョン受信機以外にも、ワンセグメントと呼ばれる地上ディジタル放送のモバイル機器向け放送サービスに対応したテレビチューナを搭載したカーナビゲーションシステムや携帯電話機等のその他種々の電子機器に適用することができる。
【図面の簡単な説明】
【０１２９】
【図１】従来の電子番組ガイドの構成を示す略線図である。
【図２】本発明の一実施の形態におけるディジタルテレビジョン受信機の回路構成を示す略線的ブロック図である。
【図３】本発明の一実施の形態における電子番組ガイド（１）の構成を示す略線的斜視図である。
【図４】本発明の一実施の形態における電子番組ガイド（２）の構成を示す略線的斜視図である。
【図５】ジャンルアイコンを示す略線図である。
【図６】本発明の一実施の形態における電子番組ガイド（３）の構成を示す略線的斜視図である。
【図７】本発明の一実施の形態における電子番組ガイド（４）の構成を示す略線的斜視図である。
【図８】ロゴマークの配置されたロゴマーク画像を示す略線的斜視図である。
【図９】番組カードが配置された３次元番組表画像を示す略線的斜視図である。
【図１０】詳細情報画面及び番組表タイトルが配置された番組詳細情報画像を示す略線的斜視図である。
【図１１】３層構造の電子番組ガイドを示す略線的斜視図である。
【図１２】電子番組ガイドの表示角度の説明に供する略線図である。
【図１３】電子番組ガイドに対する表示角度の変更の説明に供する略線図である。
【図１４】電子番組ガイドを用いた予約動作の説明に供する略線図である。
【図１５】電子番組ガイド作成処理手順を示すフローチャートである。
【図１６】Ｘ軸方向の視点移動に伴うアニメーション処理手順を示すフローチャートである。
【図１７】Ｙ軸方向の視点移動に伴うアニメーション処理手順を示すフローチャートである。
【図１８】番組カード選択時のアニメーション処理手順を示すフローチャートである。
【符号の説明】
【０１３０】
１……ディジタルテレビジョン受信機、２……ＣＰＵ、３……ＧＰＵ、４……ＴＶチューナ、５……ＲＯＭ、６……ＲＡＭ、７……マルチプレクサ、８……バス、９……モニタ、１０……赤外線インタフェース、ＲＣ……リモコン、Ｇ１……電子番組ガイド、Ｇ１Ａ……ロゴマーク画像、Ｇ１Ｂ……３次元番組表画像、Ｇ１Ｃ……番組詳細情報画像、ＣＤ……番組カード、ＴＷ……時間表示枠、ＬＭ……ロゴマーク、ＪＡ……ジャンルアイコン、Ｄｉ……詳細情報画面。
【図１】
2009232102.tif 000003
【図２】
2009232102.tif 000004
【図３】
2009232102.tif 000005
【図４】
2009232102.tif 000006
【図５】
2009232102.tif 000007
【図６】
2009232102.tif 000008
【図７】
2009232102.tif 000009
【図８】
2009232102.tif 000010
【図９】
2009232102.tif 000011
【図１０】
2009232102.tif 000012
【図１１】
2009232102.tif 000013
【図１２】
2009232102.tif 000014
【図１３】
2009232102.tif 000015
【図１４】
2009232102.tif 000016
【図１５】
2009232102.tif 000017
【図１６】
2009232102.tif 000018
【図１７】
2009232102.tif 000019
【図１８】
2009232102.tif 000020